(57)【要約】【課題】ランドグルーブ記録可能な光ディスクの事前記録情報記録領域において、トラッキング制御を安定に行うことのできる光ディスク及びその記録再生装置を提供する。【解決手段】グルーブとランドを有する光ディスクにおいて、アドレス情報が第１ウォブルピット列Ｐ１・第２ウォブルピット列Ｐ２により記録されている。【選択図】　図１５
2004030918.tif 000002
【特許請求の範囲】
【請求項１】
グルーブとランドを有する光ディスクにおいて、
アドレス情報がウォブルピット列により記録されていることを特徴とする光ディスク。
【請求項２】
グルーブとランドの双方を記録トラックとする光ディスクにおいて、
互いに、トラック方向及びディスク半径方向にずれて形成された２種類のウォブルピット列を有していることを特徴とする光ディスク。
【請求項３】
前記ウォブルピット列を構成する各ピットの間隔がピットの幅以下であることを特徴とする請求項１または２記載の光ディスク。
【請求項４】
請求項１に記載の光ディスクに対して、情報を記録または再生する記録再生装置において、
光ビームが所望の記録トラックを走査するように制御するトラッキング制御手段を有しており、該トラッキング制御手段は、第１幅変化部及び第２幅変化部を走査する際にもトラッキング制御を行うことを特徴とする記録再生装置。
【請求項５】
請求項１、２又は３に記載の光ディスクに対して、情報を記録または再生する記録再生装置において、
光ビームが所望の記録トラックを走査するように制御するトラッキング制御手段を有しており、該トラッキング制御手段は、前記ウォブルピット列を走査する際にもトラッキング制御を行うことを特徴とする記録再生装置。
【発明の詳細な説明】
【０００１】
【発明の属する技術分野】
本発明は、ピット列、トラックの幅変化等の事前記録情報のクロストークを抑制できるとともに、安定したトラッキング制御を実現できる光磁気ディスク等の光ディスク及びその記録再生装置に関するものである。
【０００２】
【従来の技術】
従来から、書き換え可能な光記録媒体として、光磁気記録媒体を用いた光磁気ディスクが実用化されている。このような光磁気ディスクでは、半導体レーザから出射される光ビームを光記録媒体上に集光照射することにより、光磁気記録媒体の局部温度を上昇させることにより記録消去が行われ、記録消去が起こらない強度の光ビームを光磁気記録媒体に集光照射し、その反射光の偏光状態を判別することにより、記録情報の再生が行われる。これらの光磁気記録媒体においては、ディスク基板上にらせん状または同心円状に形成された記録トラックに連続してピット列を形成しておき、ピット列による反射光量変化を再生することによりアドレス情報を得る方法が一般的に採用されている。
【０００３】
一方で、多層磁性膜を用いた磁気的超解像再生が盛んに開発され、超解像光磁気記録媒体の再生分解能が大幅に向上したことにより、案内溝であるグルーブ領域と、案内溝間のランド領域との両方において、記録再生を行なうランドグルーブ記録方式に関する研究が盛んに行なわれている。このランドグルーブ記録方式においては、ランドとグルーブのそれぞれが記録トラックとなるため、それぞれの領域に対応したアドレスピットが必要となる。
【０００４】
図２０は、特許文献１に記載されているアドレスピットの構成について示す図である。らせん状にほぼ等しい幅でグルーブ（Ｇ１，Ｇ２）及びランド（Ｌ１，Ｌ２）が形成されており、グルーブＧ１に連続して第１アドレスの情報を記録した凹凸の第１ピット列Ｐ１が第１アドレス領域に形成され、グルーブＧ２に連続して、第１ピット列Ｐ１が形成されている第１アドレス領域からトラック長手方向にずれた第２アドレス領域に第２ピット列Ｐ２が形成されている。
【０００５】
このアドレス情報の再生方法について説明する。光ディスクの回転に伴い、グルーブＧ１上を光ビームＢＧ１が相対的に走査する場合、光ビームＢＧ１は、第１アドレス領域の第１ピット列Ｐ１を走査することにより、グルーブＧ１のアドレス情報を反射光量変化として再生検出した後、第２アドレス領域を通過する。
そして、グルーブＧ２上を光ビームＢＧ２が相対的に走査する場合、光ビームＢＧ２は、第１アドレス領域を通過した後、第２アドレス領域の第２ピット列Ｐ２を走査することにより、グルーブＧ２のアドレス情報を反射光量変化として再生検出する。一方、ランドＬ１上を光ビームＢＬ１が相対的に走査する場合、光ビームＢＬ１は、第１アドレス領域の第１ピット列Ｐ１の近傍を走査することにより、第１ピット列Ｐ１からの漏れ信号を検出することにより、ランドＬ１のアドレス情報を反射光量変化として再生検出する。そして、ランドＬ２上を光ビームＢＬ２が相対的に走査する場合、光ビームＢＬ２は、第２アドレス領域の第２ピット列Ｐ２の近傍を走査することにより、第２ピット列Ｐ２からの漏れ信号を検出することにより、ランドＬ２のアドレス情報を反射光量変化として再生検出する。このようにして、ランドとグルーブのそれぞれにおいて、アドレス情報を再生することが可能な光ディスクを実現することが可能となる。
【０００６】
また、図２１は、特許文献２に記載されているアドレスの構成について示す図である。らせん状にほぼ等しい幅でグルーブ（Ｇ１，Ｇ２）及びランド（Ｌ１，Ｌ２）が形成されており、グルーブＧ１に連続して第１アドレスの情報を記録したグルーブ幅よりも幅の広い凹凸の第１ピット列Ｐ１が第１アドレス領域に連続的に形成され、グルーブＧ２に連続して、第１ピット列Ｐ１が形成されている第１アドレス領域からトラック長手方向にずれた第２アドレス領域に第２ピット列Ｐ２が連続的に形成されている。
【０００７】
このアドレス情報の再生方法は、特許文献１と同様に、ランド及びグルーブのそれぞれについて、アドレス領域における反射光量変化として再生検出する。このようにして、ランドとグルーブのそれぞれにおいて、アドレス情報を再生することが可能な光ディスクを実現することが可能となる。
【０００８】
また、図２２は、上記特許文献２に記載されている他のアドレスの構成について示す図である。らせん状にほぼ等しい幅でグルーブ（Ｇ１，Ｇ２）及びランド（Ｌ１，Ｌ２）が形成されており、グルーブＧ１に連続してアドレスの情報を記録したウォブルグルーブが第１アドレス領域に形成され、グルーブＧ２に連続して、第１アドレス領域からトラック長手方向にずれた第２アドレス領域に、アドレスの情報を記録したウォブルグルーブが形成されている。
【０００９】
このアドレス情報の再生方法は、上記特許文献１と同様に、ランド及びグルーブのそれぞれについて、アドレス領域に存在するウォブルグルーブによる反射光量変化として再生検出するかまたは、アドレス領域に存在するウォブルグルーブによるプッシュプル信号の変化として再生検出する。
【００１０】
【特許文献１】
特開平７−１５３０８１号公報（平成７年６月１６日公開）
【００１１】
【特許文献２】
特開平９−１７０３３号公報（平成９年１月１７日公開）
【００１２】
【発明が解決しようとする課題】
しかしながら、上述の特許文献１に記載の内容によれば、トラッキングが不安定になるという問題点が存在する。図２３は、図２０における第１アドレス領域の拡大図を示しており、グルーブＧ１を走査する光ビームスポットＢＧ１は、第１ピット列Ｐ１が光ビームスポットＢＧ１の中心位置に存在するため、左右対称なプッシュプル信号が得られ、第１ピット列Ｐ１が常に光ビームスポットＢＧ１の中心になるようにトラッキングされる。しかし、ランドＬ１を走査する光ビームスポットＢＬ１は、第１のアドレス領域において、光ビームスポットＢＬ１の紙面左側にピット列Ｐ１が存在するため、ピット列Ｐ１が途切れた部分において、プッシュプル信号が非対称となり、光ビームスポットＢＬ１は、図示するように紙面左側へと移動しながらトラッキングが行われ、トラッキングの安定性が損なわれる。最悪の場合、アドレス領域においてトラックジャンプ等の異常が発生することになる。このため、上述のような光ディスクを記録再生する記録再生装置では、アドレス領域においてトラッキング制御を中断する処理がなされることもある。
【００１３】
また、上述の特許文献２に記載の第１の内容においても、同様に、トラッキングが不安定になるという問題点が存在する。図２４は、図２１における第１アドレス領域の拡大図であるが、グルーブ幅よりも幅の広い凹凸の第１ピット列Ｐ１が第１アドレス領域に形成されることにより、ランドＬ１を走査する光ビームスポットＢＬ１は、プッシュプル信号が非対称となるため、図示するように紙面右側へと移動しながらトラッキングが行われ、トラッキングの安定性が損なわれる。最悪の場合、アドレス領域においてトラックジャンプ等の異常が発生することになる。このため、上述のような光ディスクを記録再生する記録再生装置では、アドレス領域においてトラッキング制御を中断する処理がなされることもある。
【００１４】
また、図２２に示す特許文献２に記載の第２の内容においては、アドレスがウォブルグルーブにより形成されているため、プッシュプル信号が非対称が発生するが、グルーブが左右に蛇行しているため、光ビームスポットは概ねウォブルグルーブのウォブル中心上に位置し、安定したトラッキングを実現することが可能である。しかし、ウォブルグルーブが連続的に左右に連続的に蛇行するように形成されるため、再生検出された信号も連続的な蛇行に対応したなだらかな変化となり、アドレス情報の再生信号品質が良くないという問題を有している。
【００１５】
本発明は上記課題を解決するものであって、ピット列、トラックの幅変化等の事前記録情報のクロストークを抑制できるとともに、安定したトラッキング制御を実現できる光磁気ディスク等の光ディスク及びその記録再生装置を提供することを目的とする。
【００１６】
【課題を解決するための手段】
上記の目的を達成する本発明の光記録媒体は以下のようなものである。
【００１７】
本発明の光ディスクは、グルーブとランドを有する光ディスクにおいて、アドレス情報がウォブルピット列により記録されていることを特徴とする。
【００１８】
また、本発明の光ディスクは、グルーブとランドの双方を記録トラックとする光ディスクにおいて、互いに、トラック方向及びディスク半径方向にずれて形成された２種類のウォブルピット列を有していることを特徴とする。
【００１９】
また、本発明の光ディスクは、上記記載の光ディスクにおいて、前記ウォブルピット列を構成する各ピットの間隔がピットの幅以下であることを特徴とする。
【００２０】
また、本発明の記録再生装置は、上記発明の光ディスクに対して、情報を記録または再生する記録再生装置において、光ビームが所望の記録トラックを走査するように制御するトラッキング制御手段を有しており、該トラッキング制御手段は、第１幅変化部及び第２幅変化部を走査する際にもトラッキング制御を行うことを特徴とする。
【００２１】
また、本発明の記録再生装置は、上記発明の光ディスクに対して、情報を記録または再生する記録再生装置において、光ビームが所望の記録トラックを走査するように制御するトラッキング制御手段を有しており、該トラッキング制御手段は、前記ウォブルピット列を走査する際にもトラッキング制御を行うことを特徴とする。
【００２２】
【発明の実施の形態】
以下、本発明の実施の形態について実施の形態１〜６において説明する。
【００２３】
〔実施の形態１〕
本発明の実施の形態１について図１〜図６に基づいて説明すれば、以下の通りである。
【００２４】
図１は、本発明を適用した光磁気ディスクの断面図を示している。光ディスク基板１の表面には、凹凸のランド２及びグルーブ３が形成されており、上記光ディスク基板１上にＡｌＮ等の透明誘電体からなる干渉層４、記録磁性層の磁化情報を転写し再生を行なうためのＧｄＦｅＣｏ等の非晶質希土類遷移金属合金からなる再生磁性層５、記録磁性層から再生磁性層への転写を制御するための中間層６、情報が磁化方向により記録されるＴｂＦｅＣｏ等の非晶質希土類遷移金属合金からなる記録磁性層７、各磁性層を酸化等の劣化から保護するための保護層８とが少なくとも積層された超解像光磁気記録媒体が形成されている。
【００２５】
図２は、実施の形態１における光ディスクの光ディスク基板１のアドレス領域の平面図を示している。実施の形態１の光ディスクは、ほぼ等しい幅に形成されたグルーブ（Ｇ１，Ｇ２）とランド（Ｌ１，Ｌ２）を有しており、その双方を記録トラックとしている。光ディスクの位置情報を与えるアドレス領域は、トラック長手方向にずれた第１アドレス領域と第２アドレス領域とで構成されている。
第１アドレス領域と第２アドレス領域は、それぞれ各トラックにおける同一角度位置に設けられている。また、図２０に記載した特許文献１と同様に、グルーブ（Ｇ１，Ｇ２：第１記録トラック）に連続して第１アドレス領域を構成する第１ピット列Ｐ１と、第２アドレス領域を構成する第２ピット列Ｐ２が形成されている。
【００２６】
本発明の光ディスクにおいては、上記第１ピット列Ｐ１と上記第２ピット列Ｐ２のそれぞれを構成する各ピットが、一定長さの不連続部を有して形成されており、その不連続部の間隔によってアドレス情報を記録している。不連続部の長さＤＰは、各ピット列を構成するピットの半径方向の幅ＷＰの半分以下となるように設定されている。
【００２７】
グルーブＧ１のアドレス情報は、光ビームスポットＢＧ１が第１アドレス領域の第１ピット列Ｐ１上を通過した際に、その不連続部分での反射光量変化を検出することにより得られる。ランドＬ１のアドレス情報は、光ビームスポットＢＬ１が第１アドレス領域を通過した際の第１ピット列Ｐ１からの漏れ信号を検出することにより得られる。この漏れ信号は、第１ピット列が光ビームスポットＢＬ１内に存在するため、ランドＬ１に連続する部分を光ビームスポットＢＬ１が通過した際にも上記不連続部分での反射光量変化が発生することにより得られる信号である。また、グルーブＧ２のアドレス情報は、光ビームスポットＢＧ２が第２アドレス領域の第２ピット列Ｐ２上を通過した際に、上記不連続部分での反射光量変化を検出することにより得られる。ランドＬ２のアドレス情報は、光ビームスポットＢＬ２が第２アドレス領域を通過した際の第２ピット列Ｐ２からの漏れ信号を検出することにより得られる。
【００２８】
ここで、図２０及び図２３に示した特許文献１においては、ピットとピットの間隔及びピットの長さによりアドレスを記録すべく、ピットを離散的に配置しており、ピットとピットの間隔が大きくなる部分が存在しているため、ランドに連続したアドレス領域を通過する際、光ビームスポットに対して左右非対称なプッシュプル信号が発生し、安定したトラッキングを行なうことができなくなるという問題点を有していた。
【００２９】
これに対して、本実施の形態の図１，２に示した光ディスクでは、ピット列の不連続部分の長さがピット列を構成するピットの半径方向の幅の半分以下に設定されているため、その不連続部分でのトラッキング信号の乱れは小さく（非常に短時間であり）、上述のようにピットが離散的に配置された光ディスクに比べて、より安定なトラッキングを実現することが可能となる。また、ディスク半径方向に隣接するピット列（すなわち第１ピット列Ｐ１と第２ピット列Ｐ２）がトラック方向にずれて形成されているため、ランドを走査する際に、第１ピット列、第２ピット列からの信号が重畳されることがなく、それらを正確に読み出すことが可能となる。
【００３０】
図３は、図２に示す本発明の光ディスクの第１アドレス領域の拡大図である。
グルーブＧ１のアドレス情報は、光ビームスポットＢＧ１が第１アドレス領域の第１ピット列Ｐ１上を通過することにより得られるため、プッシュプル信号の非対称性は発生せず、安定したトラッキングが実現する。一方、ランドＬ１を走査する光ビームＢＬ１は、第１のアドレス領域において、光ビームスポットＢＬ１の紙面左側にピット列が存在するため、ピット列Ｐ１の不連続部分において、プッシュプル信号が非対称となるが、上記不連続部分の長さがピット列を構成するピットの半径方向の幅の半分以下に設定されていることにより、トラッキングの安定性を損なうことなく、第１ピット列Ｐ１からの漏れ信号を検出することが可能となる。
【００３１】
次に、図４は、図３に示す光ディスクの変形例であり、第１ピット列の幅ＷＰを、ほぼ等しい幅に形成されたランド及びグルーブの幅（ＷＬ，ＷＧ）よりも広くした実施の形態を示している。
【００３２】
図３においては、グルーブＧ１に対するアドレス情報を再生する場合、光ビームスポットＢＧ１は、第１ピット列Ｐ１上を走査するため、該ピット列Ｐ１の不連続部分は光ビームスポットＢＧ１の中心部分を通過し大きな反射光量変化を得ることができるが、ランドＬ１に対するアドレス情報を再生する場合、光ビームスポットＢＬ１は、第１ピット列Ｐ１と隣接グルーブＧ２の中心上を走査するため、光ビームスポットＢＬ１の左端部分のみがピット列Ｐ１の不連続部分上を通過することになり、反射光量変化は小さくなってしまう。
【００３３】
そこで、図４の構成では、第１ピット列Ｐ１の幅ＷＰをランド及びグルーブの幅（ＷＬ，ＷＧ）よりも広くすることにより、光ビームスポットＢＬ１が、第１ピット列Ｐ１と隣接グルーブＧ２の中心上を走査する場合において、第１ピット列Ｐ１の不連続部分が、光ビームスポットＢＬ１におけるより広い領域を通過することになり、ランドＬ１のアドレス情報を再生する場合においても、大きな反射光量変化を得ることができる。なお、この場合、ランド上を走査する際に、ピット列の幅が大きいため、光ビームスポットが若干ランドの中心からずれた位置を走査する惧れがあるが、ピット列には不連続部分が存在するため、図２１や図２４に示した従来のものに比べて光ビームスポット位置のずれ量は小さくなる。
望ましくは、図４におけるピット列のピット幅は、不連続部分を含めたピット列全体の平均の幅がグルーブ幅と略等しくなる程度に設定しておくことがよい。
【００３４】
次に、上述したような光磁気ディスクを記録再生する記録再生装置について図２５に基づいて説明する。
【００３５】
記録再生時、回転制御手段により制御されたスピンドル１０５は、光磁気ディスク１０１を回転駆動する。そして、光磁気ディスク１０１における記録再生位置に光ピックアップ１０３から光ビームを照射し、また記録時には磁界制御手段１０６の指示により磁界印加装置１０４から磁界を印加する。これにより記録再生が実行される。光ピックアップ１０３は、光ピックアップ制御手段（トラッキング制御手段を含む）１０７によりフォーカシング、トラッキング制御されることにより、所望の記録再生位置に光ビームを照射するようになっている。本実施の形態の光磁気ディスク１０１を使用する場合、光ピックアップ制御手段１０７は、上述の第１ピット列、第２ピット列の形成された部分においてもトラッキング制御を実行するように制御できる。これにより、第１ピット列及び第２ピット列の形成された部分においても良好な記録再生動作を実行できる。
【００３６】
次に、上述したような本実施の形態において用いる光ディスク基板の製造プロセスを、図５を用いて説明する。
【００３７】
まず、石英ガラス基板９上にフォトレジスト膜１０を塗布する（図５（ａ）参照）。
【００３８】
次に、図６に示すレーザカッティング装置を用いてフォトレジスト膜１０の露光を行った後、現像を行い、フォトレジスト膜１０の凹凸パターンを形成する（図５（ｂ）参照）。ここで、レーザカッティングにおいては、フォトレジスト膜１０が塗布された石英ガラス基板９が回転可能なターンテーブル１２上に配置され、ＨｅＣｄレーザ等のフォトレジスト膜１０を露光可能なレーザ光１３が光変調器１４及びミラー１５を通過した後、対物レンズ１６によりフォトレジスト膜１０上に集光照射される。記録トラックを構成するランド及びグルーブを形成する場合、レーザ光１３を連続照射して、連続的な露光を行なう。また、アドレスピット列を形成する場合、光変調器１４を用いてレーザ光１３をパルス化して露光を行なう。
【００３９】
次に、上記フォトレジスト膜１０をマスクとして、石英ガラス基板９をドライエッチングし、石英ガラス基板９上に凹凸のエッチングパターンを形成した後、フォトレジスト膜１０を除去してマスター原盤９を形成する（図５（ｃ）参照）。
【００４０】
次に、上記マスター原盤９に対して、Ｎｉ等の金属を電鋳しスタンパー１１を形成する（図５（ｄ）参照）。
【００４１】
最後に、上記マスター原盤９と上記スタンパー１１とを剥離する（図５（ｅ）参照）。
【００４２】
以上のようにして形成されたスタンパー１１を射出成形機に取り付け、ポリカーボネート等の樹脂を射出成形することにより、光ディスク基板が完成する。
【００４３】
ここで、光ディスク基板に形成される凹凸の望ましい溝深さは、プッシュプル信号からアドレス情報を得るか、反射光量信号からアドレス情報を得るかにより異なる。
【００４４】
基板の屈折率をｎ、記録再生に用いる半導体レーザの波長をλとすると、プッシュプル信号は、溝深さがλ／（８ｎ）の時に極大となり、溝深さがλ／（４ｎ）の時に零となる。安定してトラッキングを行なうためには、トラッキング可能なプッシュプル信号が得られることが必要であり、そのためには、溝深さがλ／（１６ｎ）〜（３λ）／（１６ｎ）の範囲であることが望ましい。プッシュプル信号からアドレス情報を得る場合、大きなプッシュプル信号が得られることが必要であり、溝深さは、λ／（１６ｎ）〜（３λ）／（１６ｎ）の範囲であることが望ましい。これに対して、反射光量信号からアドレス情報を得る場合、溝深さがλ／（１６ｎ）〜（３λ）／（１６ｎ）の範囲でアドレス情報を得ることが可能であるが、溝深さがλ／（４ｎ）の時に反射光量変化が極大となるため、トラッキング可能なプッシュプル信号を得るとともに、大きな反射光量変化を得るためには、溝深さが（２λ）／（１６ｎ）〜（３λ）／（１６ｎ）の範囲であることが望ましい。
【００４５】
上記の記載に従って図２に示す実施の形態１の光ディスクを作成した。グルーブ及びランド及びアドレスピットの幅（ＷＧ，ＷＬ，ＷＰ）を０．３μｍとし、アドレスピットの長さＬＰを０．６μｍとし、凹凸溝の深さを４０ｎｍとした。
この構成において、アドレスピットの不連続部の長さＤＰを変えて、波長４１０ｎｍの半導体レーザと開口数０．６の対物レンズを有する光ピックアップを用いて、６０秒間のトラッキングを行なった結果、不連続部の長さＤＰが０．１５μｍ以下の場合、ランド部分のトラッキングでトラッキングエラーが発生しなかったのに対して、不連続部の長さＤＰを０．１５μｍより長くした場合、ランド部分のトラッキングでトラッキングエラーが発生することが確認された。例えば、不連続部の長さＤＰを０．１９μｍとすると、トラッキング開始２５秒にトラッキングエラーが発生した。すなわち、本実施の形態においては、不連続部分の長さＤＰがピット列を構成するピットの半径方向の幅ＷＰの半分以下に設定されていることが必要である。
【００４６】
次に、上記構成において、不連続部分の長さＤＰを０．１１μｍとし、アドレスピットの幅ＷＰを０．４μｍとした図４に示す光ディスクを作成した。不連続部分の長さＤＰを０．１１μｍとし、アドレスピットの幅ＷＰを０．３μｍとした光ディスクにおいて、光ビームスポットＢＬ１がアドレスピット列を通過する際の反射光量変化と比較して、アドレスピットの幅ＷＰを０．４μｍと広くすることにより、該反射光量変化を３０％大きくすることが可能となった。
【００４７】
なお、以上の実施の形態においては光磁気ディスクに適用した場合について説明したが、もちろん相変化型等の他の光ディスクにも適用できる。相変化型の光ディスクの場合には、図２５の磁界印加装置１０４、磁界制御手段１０６は必要ない。
【００４８】
〔実施の形態２〕
本発明の実施の形態２について図７、図８に基づいて説明すれば、以下の通りである。
【００４９】
図７は、実施の形態２の光ディスク基板のアドレス領域の平面図を示している。実施の形態２の光ディスクは、ほぼ等しい幅に形成されたグルーブ（Ｇ１，Ｇ２：第１記録トラック）とランド（Ｌ１，Ｌ２）を有しており、その双方を記録トラックとしている。光ディスクの位置情報を与えるアドレス領域は、トラック長手方向にずれた第１アドレス領域と第２アドレス領域とで構成している。第１アドレス領域と第２アドレス領域は、それぞれ各トラックにおける同一角度位置に設けられている。
【００５０】
第１アドレス領域においては、グルーブＧ１に連続して第１の溝幅Ｗ１と第２の溝幅Ｗ２とで構成される第１幅変化部ＧＣ１を有しており、第２アドレス領域においては、グルーブＧ２に連続して第１の溝幅Ｗ１と第２の溝幅Ｗ２とで構成される第２幅変化部ＧＣ２を有している。第２幅変化部ＧＣ２は第１幅変化部ＧＣ１の形成されたグルーブに対してディスク半径方向に隣接するグルーブに設けられている。なお、ここで、第１の溝幅Ｗ１を有する部分と第２の溝幅Ｗ２を有する部分は、アドレス情報を周波数変調、位相変調等により変調した信号に応じて配列されている。また、ここでは、第１の溝幅Ｗ１を有する部分と第２の溝幅を有する部分がディスク全体として略同一長さになるように設定している。
【００５１】
また、グルーブ幅をＷＧ、前記ランド幅をＷＬ、第１の溝幅をＷ１、第２の溝幅をＷ２としたとき、ＷＧ≒ＷＬであり、且つ、Ｗ１＜ＷＧ＜Ｗ２となるように形成している。
【００５２】
グルーブＧ１のアドレス情報は、光ビームスポットＢＧ１が第１アドレス領域を通過した際に、溝幅が異なることにより発生する反射光量変化を検出することにより得る。次に、ランドＬ１のアドレス情報は、光ビームスポットＢＬ１が第１アドレス領域を通過した際のランド幅変動により発生する反射光量変化を検出することにより得る。次にグルーブＧ２のアドレス情報は、光ビームスポットＢＧ２が第２アドレス領域を通過した際に、溝幅が異なることにより発生する反射光量変化を検出することにより得る。次に、ランドＬ２のアドレス情報は、光ビームスポットＢＬ２が第２アドレス領域を通過した際のランド幅変動により発生する反射光量変化を検出することにより得る。
【００５３】
ここで、図２１及び図２４に記載した特許文献２においては、グルーブ幅よりも幅の広い部分のみがアドレス領域に形成されることにより、ランド部分においてプッシュプル信号が非対称となり、安定したトラッキングを行なうことができなくなるという問題点を有していた。これに対して、実施の形態２の光ディスクは、アドレス領域において、グルーブ幅よりも狭い第１の溝と、グルーブ幅よりも広い第２の溝とが交互に形成されているため、全体としてプッシュプル信号の非対称性が緩和され、より安定なトラッキングを実現することが可能となる。
【００５４】
図８は、図７に示す本発明の光ディスクの第１アドレス領域の拡大図である。グルーブＧ１のアドレス情報は、光ビームスポットＢＧ１が第１アドレス領域を通過することにより得られるため、プッシュプル信号の非対称性は発生せず、安定したトラッキングが実現する。一方、ランドＬ１を走査する光ビームＢＬ１に対しては、第１のアドレス領域において、プッシュプル信号の非対称性が発生するが、グルーブ幅よりも狭い第１の溝と、グルーブ幅よりも広い第２の溝とが交互に形成されているため、データ領域のランドＬ１とグルーブＧ１とのエッジの延長線に対して、アドレス領域のランドＬ１とグルーブＧ１とのエッジが左右対称に変化することになる。従って、光ビームスポットＢＬ１は、アドレス領域において、データ領域のランドＬ１の延長線上の中心位置を走査し、安定したトラッキングが実現する。
【００５５】
このように、実施の形態２においては、データ領域のランドＬ１とグルーブＧ１とのエッジの延長線に対して、アドレス領域のランドＬ１とグルーブＧ１とのエッジを左右対称に変化させているため、つまり、上記グルーブ幅ＷＧと上記第１の溝幅Ｗ１と上記第２の溝幅Ｗ２を（ＷＧ−Ｗ１）≒（Ｗ２−ＷＧ）となるように形成しているため、安定したトラッキングを実現することができる。
【００５６】
なお、実施の形態２の光ディスクを記録再生する記録再生装置は、実施の形態１で示した図２５と同様の構成でき、上記第１変化部、第２幅変化部を走査する際にも安定したトラッキング制御を行える。なお、本光ディスクが相変化型の光ディスクのような磁界の印加の必要のないものであれば、磁界印加装置１０４、磁界制御手段１０６は必要ない。
【００５７】
実施の形態２の光ディスク基板は、実施の形態１と同様にして形成することが可能である。実施の形態２の光ディスク基板を形成するためには、アドレス領域をレーザカッティングで露光する際、光変調器で露光を行なうレーザ光強度を変調することにより実現される。
【００５８】
上記の記載に従って図７に示す実施の形態２の光ディスクを作成した。グルーブ及びランドの幅（ＷＧ，ＷＬ）を０．３μｍとし、第１の溝幅を有する部分の長さＬＧ１及び第２の溝幅を有する部分の長さＬＧ２を０．６μｍとし（長さＬＧ２は実際の光ディスクではアドレス情報に応じて変化するが、ここではテスト条件としてＬＧ２＝０．６μｍを採用した）、凹凸溝の深さを４０ｎｍとした。この構成において、第１の溝幅Ｗ１を０．２μｍ、第２の溝幅Ｗ２を０．４μｍとして、波長４１０ｎｍの半導体レーザと開口数０．６の対物レンズを有する光ピックアップを用いて、６０秒間のトラッキングを行なった結果、ランド部分をトラッキングする際、トラッキングエラーが発生しなかった。これに対して、第１の溝幅Ｗ１をグルーブ及びランドの幅（ＷＧ，ＷＬ）と同じく０．３μｍとし、第２の溝幅Ｗ２を０．４μｍとした図２１に示す光ディスクを比較例２として作成して、同様な実験を行なった結果、ランド部分のトラッキングにおいて、トラッキング開始３０秒にトラッキングエラーが発生することが確認された。
【００５９】
〔実施の形態３〕
本発明の実施の形態３について図９、図１０に基づいて説明すれば、以下の通りである。
【００６０】
図９は、実施の形態３の光ディスク基板のアドレス領域の平面図を示している。実施の形態３の光ディスクは、ほぼ等しい幅に形成されたグルーブ（Ｇ１，Ｇ２：第１記録トラック）とランド（Ｌ１，Ｌ２）を有しており、その双方を記録トラックとしている。光ディスクの位置情報を与えるアドレス領域は、トラック長手方向にずれた第１アドレス領域と第２アドレス領域とで構成されている。第１アドレス領域及び第２のアドレス領域はそれぞれ各トラックにおける同一ディスク中心角度及び同一ディスク半径方向位置に設けられている。
【００６１】
第１アドレス領域、第２アドレス領域はそれぞれグルーブに連続して形成される第１ピット列Ｐ１、第２ピット列Ｐ２により構成されている。各グルーブにおける第１アドレス領域の第１ピット列Ｐ１は、ディスク内周側、外周側のどちらか一方側に隣接するグルーブにおける第１ピット列Ｐ１と同様の配列となっており、また、第２アドレス領域の第２ピット列Ｐ２は、他方側に隣接するグルーブにおける第２ピット列Ｐ２と同様の配列となっている。
【００６２】
具体的には、図９においては、グルーブＧ１とその右隣のグルーブＧ２に連続する第１アドレス領域に同様の配列の第１ピット列Ｐ１が形成されており、グルーブＧ１とその左隣のグルーブＧ２に連続する第２アドレス領域に同様の配列の第２ピット列Ｐ２が形成されている。
【００６３】
グルーブＧ１のアドレス情報は、光ビームスポットＢＧ１が第１アドレス領域の第１ピット列Ｐ１上及び第２アドレス領域の第２ピット列Ｐ２上を通過した際の反射光量変化を検出することにより得られる。次に、ランドＬ１のアドレス情報は、光ビームスポットＢＬ１が第１アドレス領域を通過した際の、両側のグルーブにおいて同一配列にて形成された第１ピット列Ｐ１からの漏れ信号を検出することにより得られる。この漏れ信号は、第１ピット列Ｐ１が光ビームスポットＢＬ１内に存在するため、ランドＬ１に連続する部分を光ビームスポットＢＬ１が通過した際にも反射光量変化が発生することにより得られる信号である。次にグルーブＧ２のアドレス情報は、光ビームスポットＢＧ２が第１アドレス領域の第１ピット列Ｐ１上及び第２アドレス領域の第２ピット列Ｐ２上を通過した際の反射光量変化を検出することにより得られる。次に、ランドＬ２のアドレス情報は、光ビームスポットＢＬ２が第２アドレス領域を通過した際の、両側のグルーブにおいて同一配列にて形成された第２ピット列Ｐ２からの漏れ信号を検出することにより得られる。
【００６４】
ここで、図２０に示す特許文献１においては、ランドに連続したアドレス領域を通過する際、光ビームスポットの片側においてピットが離散的に配置されているため、光ビームスポットに対して左右非対称なプッシュプル信号が発生し、安定したトラッキングを行なうことができなくなるという問題点を有していた。
【００６５】
これに対して、実施の形態３の光ディスクは、ランドに連続したアドレス領域を通過する際、第１アドレス領域と第２アドレス領域のどちらか一方の左右のピット列の配列が同じに形成されていることにより、ピットが離散的に配置された光ディスクに比べて、より安定なトラッキングを実現することが可能となる。
【００６６】
また、例えばランドＬ２に連続する第１アドレス領域のように、ランドを走査する際に左右のピット列が非対称になる部分が存在するが、例えば左右のピット列の相違を１ビットのみとすることにより（すなわち、グレーコードによりアドレス情報を記録することにより）、光ビームスポットの走査位置を左右のピット列の略中心とすることができ、安定なトラッキング動作を実現することが可能となる。
【００６７】
また、本実施の形態において、グルーブのアドレスを再生する場合、グルーブに連続したピット列を再生すれば良く、光ビームスポット中心位置をピットが通過するため、大きな反射光量変化が存在し、安定してグルーブのアドレスを再生することが可能である。また、ランドのアドレスを再生する場合にも、ランドの両側に形成された同配列のピット列からアドレスを再生するため、図２，３に示した構成よりも大きな反射光量変化を得ることができる。しかしながら、この場合においても、光ビームスポットの両端に存在するピットからの漏れ信号を再生することが必要となるため、グルーブのアドレス再生に比べて反射光量変化が小さくなるという問題がある。
【００６８】
そこで、図１０に示す変形例のように、ピット列を構成するピットの半径方向の幅ＷＰを、ほぼ等しく形成されたグルーブ幅ＷＧ及びランド幅ＷＬよりも広くすることにより、ランドのアドレスを再生において、光ビームスポットの両端に存在するピットからの漏れ信号が大きくなり、安定してランドのアドレスを再生することが可能となる。
【００６９】
以上説明した実施の形態３の光ディスクを記録再生する記録再生装置は、実施の形態１で示した図２５と同様の構成で実現でき、ピット列を走査する際にも安定したトラッキング制御を実現できる。なお、本光ディスクが相変化型の光ディスクのような磁界の印加の必要のないものであれば、磁界印加装置１０４、磁界制御手段１０６は必要ない。
【００７０】
また、実施の形態３の光ディスク基板は、実施の形態１と同様にして形成することが可能である。実施の形態３の光ディスク基板を形成するためには、アドレス領域をレーザカッティングで露光する際、光変調器で露光を行なうレーザ光強度をパルス化し、隣接グルーブと同期させてピットの露光を行なうことにより実現される。
【００７１】
上記の記載に従って図９に示す実施の形態３の光ディスクを作成した。グルーブ及びランド及びアドレスピットの幅（ＷＧ，ＷＬ，ＷＰ）を０．３μｍとし、アドレスピットの長さＬＰを０．６μｍとし、アドレスピットの不連続部の長さＤＰを０．６μｍとし（長さＬＰ、ＤＰは実際の光ディスクではアドレス情報に応じて変化するが、ここではテスト条件として上記条件を採用した）、凹凸溝の深さを４０ｎｍとした。この光ディスクを、波長４１０ｎｍの半導体レーザと開口数０．６の対物レンズを有する光ピックアップを用いて、６０秒間のトラッキングを行なった結果、ランド部分のトラッキングでトラッキングエラーが発生しなかったのに対して、同一形状のアドレスピットを図２０に示す従来の構成で形成した光ディスクの場合、トラッキング開始１２秒後にトラッキングエラーが発生した。
【００７２】
次に、上記構成において、アドレスピットの幅ＷＰを０．４μｍとした図１０に示す光ディスクを作成した。アドレスピットの幅ＷＰを０．３μｍとした光ディスクにおいて、光ビームスポットＢＬ１がアドレスピット列を通過する際の反射光量変化と比較して、アドレスピットの幅ＷＰを０．４μｍと広くすることにより、該反射光量変化を３５％大きくすることが可能となった。
【００７３】
〔実施の形態４〕
本発明の実施の形態４について図１１、図１２に基づいて説明すれば、以下の通りである。
【００７４】
図１１は、実施の形態４の光ディスク基板のアドレス領域の平面図を示している。実施の形態４の光ディスクは、ほぼ等しい幅に形成されたグルーブ（Ｇ１，Ｇ２：第１記録トラック）とランド（Ｌ１，Ｌ２）を有しており、その双方を記録トラックとしている。光ディスクの位置情報を与えるアドレス領域は、トラック長手方向にずれた第１アドレス領域と第２アドレス領域とで構成されている。
第１アドレス領域及び第２のアドレス領域はそれぞれ各トラックにおける同一角度位置に設けられている。
【００７５】
第１アドレス領域、第２アドレス領域はそれぞれグルーブに連続して形成される第１ピット列Ｐ１、第２ピット列Ｐ２により構成されている。各グルーブにおける第１アドレス領域の第１ピット列Ｐ１は、ディスク内周側、外周側のどちらか一方側に隣接するグルーブにおける第１ピット列Ｐ１と同様の配列となっており、また、第２アドレス領域の第２ピット列Ｐ２は、他方側に隣接するグルーブにおける第２ピット列Ｐ２と同様の配列となっている。
【００７６】
実施の形態４の光ディスクにおいては、上記第１ピット列Ｐ１及び上記第２ピット列Ｐ２を構成する各ピット間に一定間隔の不連続部が形成されており、その不連続部の長さがピット列を構成するピットの半径方向の幅の半分以下となるように設定されている。
【００７７】
グルーブＧ１のアドレス情報は、光ビームスポットＢＧ１が第１アドレス領域の第１ピット列Ｐ１及び第２アドレス領域の第２ピット列Ｐ２上の不連続部分を通過した際の反射光量変化を検出することにより得られる。次に、ランドＬ１のアドレス情報は、光ビームスポットＢＬ１がランドＬ１の両側に同一の配列にて第１ピット列Ｐ１が形成された第１アドレス領域を通過した際の、第１ピット列Ｐ１の不連続部分からの漏れ信号を検出することにより得られる。この漏れ信号は、上記第１ピット列Ｐ１の不連続部分が光ビームスポットＢＬ１内に存在するため、ランドＬ１に連続する部分を光ビームスポットＢＬ１が通過した際にも反射光量変化が発生することにより得られる信号である。次にグルーブＧ２のアドレス情報は、光ビームスポットＢＧ２が第１アドレス領域の第１ピット列Ｐ１及び第２アドレス領域の第２ピット列Ｐ２上の不連続部分を通過した際に、該不連続部分での反射光量変化を検出することにより得られる。次に、ランドＬ２のアドレス情報は、光ビームスポットＢＬ２がランドＬ２の両側に同一の配列にて第２ピット列Ｐ２が形成された第２アドレス領域を通過した際の、第２ピット列Ｐ２の不連続部分からの漏れ信号を検出することにより得られる。
【００７８】
実施の形態４においては、アドレスピットがピット列で構成されていることにより、実施の形態３と同様に、ピットが離散的に配置された光ディスクに比べて、より安定なトラッキングを実現することが可能となる。さらに、上記ピット列の不連続部の長さがピット列を構成するピットの半径方向の幅の半分以下となるように設定されていることにより、実施の形態１と同様な理由から、実施の形態３に比べてより安定したトラッキングを実現することが可能となる。
【００７９】
また、本実施の形態において、グルーブのアドレスを再生する場合、グルーブに連続したピット列の不連続部分を再生すれば良く、光ビームスポット中心位置をピットの不連続部分が通過するため、大きな反射光量変化が存在し、安定してグルーブのアドレスを再生することが可能であり、ランドのアドレスを再生する場合にもランドの両側に形成された同配列のピット列からアドレスを再生するため、図２，３に示した構成よりも大きな反射光量変化を得ることができる。しかしながら、この場合においても、光ビームスポットの両端に存在するピットからの漏れ信号を再生することが必要となるため、グルーブのアドレス再生に比べて反射光量変化が小さくなるという問題がある。
【００８０】
そこで、図１２に示すように、ピット列を構成するピットの半径方向の幅ＷＰを、ほぼ等しく形成されたグルーブ幅ＷＧ及びランド幅ＷＬよりも広くすることにより、ランドのアドレスを再生において、光ビームスポットの両端に存在するピットの不連続部分からの漏れ信号が大きくなり、安定してランドのアドレスを再生することが可能となる。
【００８１】
以上説明した実施の形態４の光ディスクを記録再生する記録再生装置は、実施の形態１で示した図２５と同様の構成で実現でき、ピット列を走査する際にもトラッキング制御を実現できる。なお、本光ディスクが相変化型の光ディスクのような磁界の印加の必要のないものであれば、磁界印加装置１０４、磁界制御手段１０６は必要ない。
【００８２】
実施の形態４の光ディスク基板は、実施の形態３と同様にして形成することが可能である。実施の形態４の光ディスク基板を形成するためには、アドレス領域をレーザカッティングで露光する際、光変調器で露光を行なうレーザ光強度をパルス化し、隣接グルーブと同期させてピットの露光を行なうことにより実現される。
【００８３】
上記の記載に従って図１１に示す実施の形態４の光ディスクを作成した。グルーブ及びランド及びアドレスピットの幅（ＷＧ，ＷＬ，ＷＰ）を０．３μｍとし、アドレスピットの長さＬＰを０．６μｍ（長さＬＰは実際の光ディスクではアドレス情報に応じて変化するが、ここではテスト条件として上記条件を採用した）とし、凹凸溝の深さを４０ｎｍとした。この構成において、アドレスピットの不連続部の長さＤＰを変えて、波長４１０ｎｍの半導体レーザと開口数０．６の対物レンズを有する光ピックアップを用いて、光ディスクが５ｍｒａｄのタンジェンシャルチルトを有する状態で６０秒間のトラッキングを行なった結果、不連続部の長さＤＰが０．１５μｍ以下の場合、ランド部分のトラッキングでトラッキングエラーが発生しなかったのに対して、不連続部の長さＤＰを０．１５μｍより長くした場合、ランド部分のトラッキングでトラッキングエラーが発生することが確認された。例えば、不連続部の長さＤＰを０．２２μｍとすると、トラッキング開始４５秒にトラッキングエラーが発生した。このことは、図９に示す実施の形態３の光ディスクに比較して、図１１に示す実施の形態４の光ディスクは、光ディスクがチルトを有する場合において、より安定したトラッキングを実現することが可能であることを示している。
【００８４】
次に、上記構成において、不連続部分の長さＤＰを０．１１μｍとし、アドレスピットの幅ＷＰを０．４μｍとした図１２に示す光ディスクを作成した。不連続部分の長さＤＰを０．１１μｍとし、アドレスピットの幅ＷＰを０．３μｍとした光ディスクにおいて、光ビームスポットＢＬ１がアドレスピット列を通過する際の反射光量変化と比較して、アドレスピットの幅ＷＰを０．４μｍと広くすることにより、該反射光量変化を３０％大きくすることが可能となった。
【００８５】
〔実施の形態５〕
本発明の実施の形態５について図１３、図１４に基づいて説明すれば、以下の通りである。
【００８６】
図１３は、実施の形態５の光ディスク基板のアドレス領域の平面図を示している。実施の形態５の光ディスクは、ほぼ等しい幅に形成されたグルーブ（Ｇ１，Ｇ２：第１記録トラック）とランド（Ｌ１，Ｌ２）を有しており、その双方を記録トラックとしている。光ディスクの位置情報を与えるアドレス領域は、トラック長手方向にずれた第１アドレス領域（第１幅変化部ＧＣ１）と第２アドレス領域（第２幅変化部ＧＣ２）とで構成されている。第１アドレス領域及び第２アドレス領域は、それぞれ各トラックにおいて同一の角度位置に設けられている。
【００８７】
第１アドレス領域及び第２アドレス領域は、グルーブの幅を第１の溝幅と第２の溝幅の間で変化させることでアドレス情報を記録している。各グルーブの第１アドレス領域におけるグルーブ幅は、ディスク内周側、外周側のどちらか一方側に隣接するグルーブにおける第１アドレス領域と同様の情報を記録すべくそれと同様に変化しており、また、第２アドレス領域におけるグルーブ幅は、どちらか一方側に隣接するグルーブにおける第２アドレス領域と同様の情報を記録すべくそれと同様に変化している。
【００８８】
ここで、上記グルーブ幅をＷＧ、上記ランド幅をＷＬ、第１の溝幅をＷ１、第２の溝幅をＷ２としたとき（図１４参照）、ＷＧ≒ＷＬであり、且つ、Ｗ１＜ＷＧ＜Ｗ２となるように形成されている。なお、グルーブ幅はグルーブの両側壁を略均等に蛇行させることで変化させている。
【００８９】
グルーブＧ１のアドレス情報は、光ビームスポットＢＧ１が第１アドレス領域及び第２アドレス領域を通過した際に、溝幅が異なることにより発生する反射光量変化を検出することにより得られる。次に、ランドＬ１のアドレス情報は、光ビームスポットＢＬ１が第１アドレス領域を通過した際、左右の溝が同様に変化していることに伴うランド幅変動により発生する反射光量変化を検出することにより得られる。次に、グルーブＧ２のアドレス情報は、光ビームスポットＢＧ２が第１アドレス領域及び第２アドレス領域を通過した際に、溝幅が異なることにより発生する反射光量変化を検出することにより得られる。次に、ランドＬ２のアドレス情報は、光ビームスポットＢＬ２が第２アドレス領域を通過した際に、左右の溝が同様に変化していることに伴うランド幅変動により発生する反射光量変化を検出することにより得られる。
【００９０】
ここで、実施の形態２においては、ランドのアドレスを再生する場合、光ビームスポットの片側のみのランド幅が変動しているため、グルーブのアドレスを再生する場合に比較して、反射光量変化が小さくなるという問題があったが、本実施の形態においては、ランドのアドレスを再生する場合、左右の溝幅が同様に変動しており、グルーブのアドレスを再生する場合と同様に大きな反射光量変化を得ることが可能となる。
【００９１】
図１４は、図１３に示す本発明の光ディスクの第１アドレス領域の拡大図である。グルーブＧ１のアドレス情報は、光ビームスポットＢＧ１が第１アドレス領域を通過することにより得られ、第１アドレス領域の溝幅が光ビームスポットＢＧ１の中心に対して左右対称に変化するため、プッシュプル信号の非対称性は発生せず、安定したトラッキングが実現する。また、ランドＬ１を走査する光ビームスポットＢＬ１に対しても、左右対称なランド部分を光ビームスポットが走査することになり、プッシュプル信号の非対称性は発生せず、安定したトラッキングが実現する。
【００９２】
また、データ領域のランドＬ１とグルーブＧ１とのエッジの延長線に対して、アドレス領域のランド部分とグルーブ部分とのエッジを左右対称に変化させることにより、ランドにおける両側のグルーブが非対称に変化する側のアドレス領域において（例えばランドＬ２を走査する光ビームスポットＢＬ２が第１アドレス領域を通過する際において）プッシュプル信号の非対称性をさらに緩和することが可能となり、より安定したトラッキングが実現する。
【００９３】
以上のように、本実施の形態においては、データ領域のランドＬ１とグルーブＧ１とのエッジの延長線に対して、アドレス領域のランド部分とグルーブ部分とのエッジを左右対称に変化させることにより、安定したトラッキングを実現することが可能となる。すなわち、前記グルーブ幅ＷＧと前記第１の溝幅Ｗ１と前記第２の溝幅Ｗ２が、（ＷＧ−Ｗ１）≒（Ｗ２−ＷＧ）となるように形成されていることが望ましい。
【００９４】
以上説明した実施の形態５の光ディスクを記録再生する記録再生装置は、実施の形態１で示した図２５と同様の構成で実現でき、第１幅変化部、第２幅変化部においても安定したトラッキング制御を実行できる。但し、本光ディスクが相変化型の光ディスクのような磁界の印加の必要のないものであれば、磁界印加装置１０４、磁界制御手段１０６は必要ない。
【００９５】
実施の形態５の光ディスク基板は、実施の形態１と同様にして形成することが可能である。実施の形態５の光ディスク基板を形成するためには、アドレス領域をレーザカッティングで露光する際、光変調器でレーザ光強度を隣接グルーブと同期させて変調し、露光を行なうことにより実現される。
【００９６】
上記の記載に従って図１３に示す実施の形態５の光ディスクを作成した。グルーブ及びランドの幅（ＷＧ，ＷＬ）を０．３μｍとし、第１の溝幅を有する部分の長さＬＧ１及び第２の溝幅を有する部分の長さＬＧ２を０．６μｍ（長さＬＧ１、ＬＧ２は実際の光ディスクではアドレス情報に応じて変化するが、ここではテスト条件として上記条件を採用した）とし、凹凸溝の深さを４０ｎｍとした。
この構成において、第１の溝幅Ｗ１を０．２μｍ、第２の溝幅Ｗ２を０．４μｍとして、波長４１０ｎｍの半導体レーザと開口数０．６の対物レンズを有する光ピックアップを用いて、６０秒間のトラッキングを行なった結果、ランド部分のトラッキングでトラッキングエラーが発生しなかった。また、図７に示す実施の形態２の光ディスクにおいては、Ｌ１及びＬ２のアドレス情報の再生を行なう際、片側の溝幅のみが変動しているため、Ｇ１及びＧ２のアドレス情報の再生で得られる反射光量変化に比べて、より小さな反射光量変化しか得られないという問題が存在したが、図１３に示す実施の形態５の光ディスクにおいては、Ｌ１及びＬ２のアドレス情報の再生を行なう際、両側の溝幅が同様に変動しているため、Ｇ１及びＧ２のアドレス情報の再生で得られる反射光量変化とほぼ等しい大きさの反射光量変化を得ることができた。
【００９７】
〔実施の形態６〕
本発明の実施の形態６について図１５〜図１７に基づいて説明すれば、以下の通りである。
【００９８】
図１５は、実施の形態６の光ディスク基板のアドレス領域の平面図を示している。実施の形態６の光ディスクは、ほぼ等しい幅に形成されたグルーブ（Ｇ１，Ｇ２：第１記録トラック）とランド（Ｌ１，Ｌ２）を有しており、その双方を記録トラックとしている。
【００９９】
光ディスクの位置情報を与えるアドレス領域は、トラック長手方向にずれた第１アドレス領域と第２アドレス領域とで構成されている。この第１アドレス領域と第２アドレス領域は、それぞれ各トラックにおいて同一角度位置に形成されている。また、第１アドレス領域においては、グルーブＧ１に連続して第１アドレスの情報を記録した凹凸の第１ウォブルピット列Ｐ１が形成され、第２アドレス領域においては、グルーブＧ２に連続して第２アドレスの情報を記録した凹凸の第２ウォブルピット列Ｐ２が形成されている。
【０１００】
図２２に記載した特許文献２に記載の光ディスクおいては、グルーブ（Ｇ１，Ｇ２）に連続して、アドレス領域にグルーブが左右に蛇行したウォブルグルーブでアドレス情報が形成され、グルーブのウォブル状態が反射光量変化もしくはプッシュプル信号変化として検出されるが、グルーブが連続的に左右に蛇行しているため、反射光量変化及びプッシュプル信号変化が連続的なものとなり、アドレス情報再生において、再生ジッターが大きくなり、アドレス検出エラーが多くなってしまう。
【０１０１】
これに対して、実施の形態６の光ディスクは、アドレス領域において、左右に蛇行したウォブルピット列でアドレス情報が形成され、グルーブのウォブル状態を再生検出するものであり、ウォブルピットが不連続的に形成されていることにより、ピットエッジでのウォブル状態の変化が急峻となり、アドレス情報再生において、再生ジッターをより小さくし、アドレス検出エラーを減少させることが可能となる。
【０１０２】
図１６は、図１５に示す本発明の光ディスクの第１アドレス領域の拡大図である。グルーブＧ１のアドレス情報は、光ビームスポットＢＧ１が第１アドレス領域のウォブルピット列Ｐ１を通過する際の、プッシュプル信号の変化を検出することにより再生される。アドレスピットが右にあるか左にあるかでプッシュプル信号の非対称性が存在するが、アドレスピットが左右交互に形成されているため、光ビームスポットＢＧ１はグルーブＧ１の延長線上を走査し、安定したトラッキングが実現することが可能である。
【０１０３】
一方、ランドＬ１のアドレス情報は、光ビームスポットＢＬ１が、第１アドレス領域のウォブルピット列Ｐ１の右側を通過する際の、プッシュプル信号の変化を検出することにより再生される。
【０１０４】
ここで、ウォブルピット列のピット間隔について説明する。図１７はその説明図である。ウォブルピット列を構成するピットの間隔ＤＰ１を大きくすると、ピットの存在しない領域が広くなることにより、プッシュプル信号の非対称性が大きくなるとともに、ピットの存在しない領域での反射光量の増大が顕著となり、安定したウォブル情報の再生が困難となる。このため、上記ピット間隔ＤＰ１をグルーブ幅ＷＧ以下とすることが、安定したウォブル情報の再生のため望ましい。
【０１０５】
一方、図１８に示すようにピットが重複するようにウォブルピットを形成することも可能であるが、アドレス情報再生において、再生ジッターをより小さくし、アドレス検出エラーを減少させることが可能とするためには、少なくとも隣接するピット同士が接触しないようにウォブルピットが形成されていることが必要である。
【０１０６】
したがって、図１６に示したように、アドレスピット列を構成する一つのピットＰ１の後エッジＰＥ１の位置と、連続して形成されるピットＰ１の前エッジＰＥ２の位置とがほぼ一致するようにすることがより望ましい。
【０１０７】
以上説明した実施の形態６の光ディスクを記録再生する記録再生装置は、実施の形態１で示した図２５と同様の構成で実現でき、ウォブルピット列を走査する際にも安定したトラッキング制御を実行できる。なお、本光ディスクが相変化型の光ディスクのような磁界の印加の必要のないものであれば、磁界印加装置１０４、磁界制御手段１０６は必要ない。
【０１０８】
実施の形態６の光ディスク基板は、図１９に示すカッティング装置（露光装置）を用いて、実施の形態１と同様なプロセスにより形成することが可能である。実施の形態６の光ディスク基板を形成するためには、アドレス領域をレーザカッティングで露光する際、露光を行なうレーザ光を光偏向器１７でウォブルさせるとともに、該ウォブルに同期させて光変調器１４でレーザ光をパルス化することにより実現される。
【０１０９】
上記の記載に従って図１６に示す実施の形態６の光ディスクを作成した。グルーブ及びランド及びウォブルピットの幅（ＷＧ，ＷＬ，ＷＰ）を０．３μｍとし、ウォブルピットの長さＬＰを０．６μｍとし、凹凸溝の深さを４０ｎｍとした。この光ディスクにおけるアドレスピット列を構成するピットの後エッジＰＥ１の位置と、連続して形成されるピットの前エッジＰＥ２の位置とは一致している。また、比較例６として、グルーブ及びランドの幅（ＷＧ，ＷＬ）を０．３μｍとし、ウォブルグルーブが０．６μｍ周期で形成され、凹凸溝の深さを４０ｎｍとした図２２に示す光ディスクを作成した。
【０１１０】
上記実施の形態６と比較例６の光ディスクを波長４１０ｎｍの半導体レーザと開口数０．６の対物レンズを有する光ピックアップで、そのプッシュプル信号を用いてＬ１のアドレスの再生を行なった結果、比較例６においてＬ１のアドレス再生信号が８％のジッターを有しているのに対して、実施の形態６におけるＬ１のアドレス再生信号は５％のジッターしか存在せず、より正確なアドレス情報の再生が可能であることが確認された。
【０１１１】
次に、図１７に示すように、ウォブルピット列が幅ＤＰ１の間隔で形成された光ディスクについて同様な調査を行なった。ＤＰ１が０．３０μｍ以下の場合、個々のピットが分離して形成されており、実施の形態６におけるＬ１のアドレス再生信号同様に、５％のジッターでアドレス情報の再生を実現することが可能であった。しかし、ＤＰ１を０．３０μｍより大きくすると徐々にアドレス再生信号のジッターが大きくなり、ＤＰ１を０．４０μｍとすると、アドレス再生信号が９％のジッターを有することが確認された。すなわち、本実施の形態において、安定したウォブル情報の再生を実現するためには、上記ピット間隔ＤＰ１をグルーブ幅ＷＧ以下とすることが必要となる。
【０１１２】
次に、図１８に示すように、ウォブルピット列を幅ＤＰ２で重複させて同様な調査を行なった。ＤＰ２を０．１μｍとした場合、個々のピットが分離して形成されており、実施の形態６におけるＬ１のアドレス再生信号同様に、５％のジッターでアドレス情報の再生を実現することが可能であったが、ＤＰ２を０．１３μｍとすると、個々のピットを分離して形成することができなくなり、隣接ピットが連続的に形成され、比較例６と同様にＬ１のアドレス再生信号が８％のジッターを有することが確認された。すなわち、本実施の形態において、安定したウォブル情報の再生を実現するためには、少なくとも隣接するピット同士が接触しないようにウォブルピットが形成されていることが必要である。
【０１１３】
以上、本発明について実施の形態１〜６により説明してきたが、本発明はこれらに限るものではなく、その主旨を変更しない範囲で様々な変形が可能である。例えば、上記実施の形態１〜６では第１アドレス領域、第２アドレス領域をそれぞれ各トラックにおいて同一の角度位置に設けていたが、これに限るものではなく、光ディスクが所定半径毎にゾーンに分けられている場合等では各ゾーン毎において第１アドレス領域、第２アドレス領域を同一の角度位置に設けておけばよい。
【０１１４】
また、実施の形態１，３，４，６ではピット列（またはウォブルピット列）をグルーブに連続して設けたが、ランドに連続して設けても良いことは言うまでもない。なお、本発明における”グルーブに連続して”や”ランドに連続して”は、グルーブ上、ランド上をも含むものである。
【０１１５】
さらに、実施の形態２，５では幅変化部をグルーブに設けたが、ランドに形成して設けても良いことは言うまでもないまた、以上の実施の形態では、ピット列、幅変化部、ウォブルピット列によりアドレス情報を記録する例について示したが、本発明は、これらにより各トラックに他の事前記録情報（少なくとも例えば隣接するグルーブ間において相違する情報）を記録する場合にも適用できる。
【０１１６】
【発明の効果】
以上のように、本発明の光ディスクによれば、ピット列、グルーブ（ランド）幅変化部、ウォブルピット列のいずれかからなる事前記録情報をクロストークなく再生できるとともに、その事前記録情報の記録部におけるプッシュプル信号の非対称性が解消され、ランドを走査する光ビームが上記事前記録情報記録領域を走査する場合においても、トラッキングの安定性を維持することが可能となる。
【０１１７】
また、上記事前記録情報をウォブルピット列により形成しておけば、再生検出された信号が不連続的なピットに対応した急峻な変化を示し、良好な再生信号品質を得ることが可能となる。
【図面の簡単な説明】
【図１】本発明の光ディスクを説明する断面図である。
【図２】実施の形態１の光ディスクを説明する平面図である。
【図３】図２の光ディスクの主要部を説明する拡大平面図である。
【図４】図２の光ディスクの変形例を説明する拡大平面図である。
【図５】本発明の光ディスクの製造方法を説明する工程図である。
【図６】本発明の光ディスクの露光方法を説明する図面である。
【図７】実施の形態２の光ディスクを説明する平面図である。
【図８】図７の光ディスクの主要部を説明する拡大平面図である。
【図９】実施の形態３の光ディスクを説明する平面図である。
【図１０】図９の光ディスクの主要部を示す拡大平面図である。
【図１１】実施の形態４の光ディスクを説明する平面図である。
【図１２】図１１の光ディスクの変形例を示す拡大平面図である。
【図１３】実施の形態５の光ディスクを説明する平面図である。
【図１４】図１３の光ディスクの主要部を説明する拡大平面図である。
【図１５】実施の形態６の光ディスクを説明する平面図である。
【図１６】図１５の光ディスクの主要部を説明する拡大平面図である。
【図１７】図１５の光ディスクの変形例を説明する拡大平面図である。
【図１８】図１５の光ディスクの比較例を説明する拡大平面図である。
【図１９】本発明の光ディスクの露光方法を説明する図面である。
【図２０】従来の光ディスクを説明する平面図である。
【図２１】従来の光ディスクを説明する平面図である。
【図２２】従来の他の光ディスクを説明する平面図である。
【図２３】従来の他の光ディスクを説明する平面図である。
【図２４】従来の他の光ディスクを説明する平面図である。
【図２５】本発明の光ディスクを記録再生する記録再生装置を説明するブロック図である。
【符号の説明】
１　光ディスク基板
２　ランド
３　グルーブ
４　干渉層
５　再生磁性層
６　中間層
７　記録磁性層
８　保護層
９　原盤用基板
１０　フォトレジスト
１１　スタンパー
Ｇ１、Ｇ２　グルーブ
Ｌ１、Ｌ２　ランド
Ｐ１　　　　第１ピット列
Ｐ２　　　　第２ピット列
Ｗ１　　　　第１の溝幅
Ｗ２　　　　第２の溝幅
【図１】
2004030918.tif 000003
【図２】
2004030918.tif 000004
【図３】
2004030918.tif 000005
【図４】
2004030918.tif 000006
【図５】
2004030918.tif 000007
【図６】
2004030918.tif 000008
【図７】
2004030918.tif 000009
【図８】
2004030918.tif 000010
【図９】
2004030918.tif 000011
【図１０】
2004030918.tif 000012
【図１１】
2004030918.tif 000013
【図１２】
2004030918.tif 000014
【図１３】
2004030918.tif 000015
【図１４】
2004030918.tif 000016
【図１５】
2004030918.tif 000017
【図１６】
2004030918.tif 000018
【図１７】
2004030918.tif 000019
【図１８】
2004030918.tif 000020
【図１９】
2004030918.tif 000021
【図２０】
2004030918.tif 000022
【図２１】
2004030918.tif 000023
【図２２】
2004030918.tif 000024
【図２３】
2004030918.tif 000025
【図２４】
2004030918.tif 000026
【図２５】
2004030918.tif 000027